(57)【要約】【課題】ドア解錠時に住戸内から帰宅者に音声を発するこよにより、住戸内に誰か保護者が居るように不審者を牽制する。【解決手段】インターホン親機２は、音声メッセージ情報を記憶するメッセージ記憶部を備える。ドアホン子器３は、インターホン親機２との間で通話するためのドアホン通話手段を備える。電気錠システム４は、電気錠７を開閉するための個別認証情報を取得する非接触式キーリーダ６と、取得された個別認証情報と予め登録された登録情報との照合結果に応じて電気錠７を開閉制御する電気錠制御器５とを備える。インターホン親機２は、電気錠７が施錠状態の時に、取得された個別認証情報と予め登録された特定登録情報とが一致すると、特定登録情報に対応した音声メッセージ情報をメッセージ記憶部から読み出して、ドアホン子器３から音声メッセージ情報に対応した音声を出力させる。【選択図】図１
2009290353.tif 000002
【特許請求の範囲】
【請求項１】
インターホン親機とドアホン子器と電気錠システムとを備えたセキュリティ対応インターホンシステムであって、
インターホン親機または電気錠システムは、音声メッセージ情報を記憶するメッセージ記憶部を備え、
ドアホン子器は、インターホン親機との間で通話するためのドアホン通話手段を備え、
電気錠システムは、電気錠を開閉するための個別認証情報を取得する個別認証情報取得手段と、該個別認証情報取得手段により取得された個別認証情報と予め登録された登録情報との照合結果に応じて前記電気錠を開閉制御する電気錠制御手段と、を備え、
インターホン親機は、電気錠が施錠状態の時に個別認証情報取得手段が取得した個別認証情報と予め登録された特定登録情報とが一致した際には、該特定登録情報に対応した音声メッセージ情報を前記メッセージ記憶部から読み出して、前記ドアホン通話手段を介してドアホン子器から音声メッセージ情報に対応した音声を出力させることを特徴とするセキュリティ対応インターホンシステム。
【請求項２】
前記個別認証情報取得手段は、非接触キーから無線通信を介して個別認証情報を取得する手段、または生体固有の情報である生体認証情報を個別認識情報として取得する手段であること特徴とする請求項１に記載のセキュリティ対応インターホンシステム。
【発明の詳細な説明】
【技術分野】
【０００１】
本発明は、インターホン親機とドアホン子器と電気錠システムとを備えたセキュリティ対応インターホンシステムに関する。
【背景技術】
【０００２】
インターホンシステムに防犯センサと電気錠と認証システムとを接続したセキュリティシステムが公知である（例えば、特許文献１）。このセキュリティシステムは、外出時や就寝時に防犯センサに異常検出を行わせる警戒モードと、在宅時の非警戒モードを備える。そして、住戸人自身が防犯センサで検出されることがないように、非警戒モードから警戒モードへ移行するための遅延時間を設け、遅延時間内に非接触カードキーで住戸人を認証した際には、直ちに警戒モードへ移行する技術が開示されている。
【特許文献１】特許３９９４９１９号公報
【発明の開示】
【発明が解決しようとする課題】
【０００３】
しかしながら、上記従来のセキュリティシステムでは、鍵っ子や単身者の帰宅時に、ドアを解錠した際に、近くにいた不審者が押し入る虞があるという問題点があった。
【０００４】
そこで、本発明は、上述した実情に鑑みて提案されたものであり、ドア解錠時に住戸内から帰宅者に音声を発するこよにより、住戸内に誰か保護者が居るように不審者を牽制することができるセキュリティ対応インターホンシステムを提供することを目的とする。
【課題を解決するための手段】
【０００５】
上記目的を達成するために本願発明は、インターホン親機とドアホン子器と電気錠システムとを備えたセキュリティ対応インターホンシステムであって、インターホン親機または電気錠システムは、音声メッセージ情報を記憶するメッセージ記憶部を備え、ドアホン子器は、インターホン親機との間で通話するためのドアホン通話手段を備え、電気錠システムは、電気錠を開閉するための個別認証情報を取得する個別認証情報取得手段と、該個別認証情報取得手段により取得された個別認証情報と予め登録された登録情報との照合結果に応じて前記電気錠を開閉制御する電気錠制御手段とを備える。
【０００６】
そしてインターホン親機は、電気錠が施錠状態の時に個別認証情報取得手段が取得した個別認証情報と予め登録された特定登録情報が一致した際には、該特定登録情報に対応した音声メッセージ情報を前記メッセージ記憶部から読み出して、前記ドアホン通話手段を介してドアホン子器から音声メッセージ情報に対応した音声を出力させるようにしている。
【０００７】
また、本発明のセキュリティ対応インターホンシステムにおいて、前記個別認証情報取得手段は、非接触キーから無線通信を介して個別認証情報を取得する手段、または生体固有の情報である生体認証情報を個別認識情報として取得する手段とすることができる。
【発明の効果】
【０００８】
本発明によれば、電気錠が施錠状態の時に個別認証情報取得手段が取得した個別認証情報と予め登録された特定認証情報が一致した際には、この特定認証情報に対応した音声メッセージ情報をメッセージ記憶部から読み出して、ドアホン通話手段を介してドアホン子器から音声メッセージ情報に対応した音声を出力させるので、帰宅者の付近にいる不審者に、保護者が在宅していると錯覚させることができ、帰宅者の安全性を高めることができるという効果がある。
【発明を実施するための最良の形態】
【０００９】
以下、本発明の実施の形態について図面を参照して説明する。図１〜図７は、本発明に係るセキュリティ対応インターホンシステム（以下、インターホンシステムと略す）の実施の形態を示し、図１は、インターホンシステムの全体構成例を示す概略構成図、図２はインターホン親機の構成例を示すブロック図、図３はドアホン子器の構成例を示すブロック図、図４は電気錠システムの構成例を示すブロック図である。
【００１０】
図１に示すように、本実施形態のインターホンシステム１は、インターホン親機２と、インターホン親機２に接続されたドアホン子器３と、インターホン親機２に接続された電気錠システム４とを備えている。電気錠システム４は、インターホン親機２と接続される電気錠制御器５と、電気錠制御器５に接続された個別認証情報取得手段である非接触式キーリーダ６と、電気錠７とを備えている。非接触式キーリーダ６は、非接触式ＩＣカード１０ａや非接触式ＩＣタグ１０ｂから接触することなく、無線通信を介して個別認証情報を取得する手段である。
【００１１】
尚、インターホンシステム１は、インターホン親機２に接続されてインターホン親機２及びドアホン子器３と通話可能な、副親機８と通話副親機９との両方または何れか一方をさらに備えてもよい。
【００１２】
次に、図２のブロック図を参照してインターホン親機２の構成を説明する。インターホン親機２は、副親機８と制御信号及び音声信号を送受信する内線インターフェース部（以下、インターフェース部をＩ／Ｆ部と略す）２１と、ドアホン子器３と制御信号及び音声信号を送受信するドアホン子器Ｉ／Ｆ部２３と、内線Ｉ／Ｆ部２１とドアホンＩ／Ｆ部２３との通話路を切り替える通話路切替部２２と、電気錠システム４と制御信号を送受信する電気錠Ｉ／Ｆ部２４とを備えている。
【００１３】
また、インターホン親機２は、通話処理部２５と、音声を入力して音声信号に変換するマイク部２６と、音声信号を変換した音声を出力するスピーカ部２７と、非接触式キーカードリーダ６から取得された個別認証情報が予め登録された特定登録情報と一致した際に、読み出される音声メッセージを記憶するメッセージ記憶部２８と、インターホン親機及びインターホンシステム全体を制御する主制御部２９と、操作部３０と、ドアホン子器からの画像を表示可能な表示部３１と、現在時刻の情報を保持する時計３２と、制御信号送受信部３３とを備えている。尚、特に限定されないが本実施形態では、主制御部２９は、ＣＰＵとプログラムＲＯＭと作業用ＲＡＭと入出力インタフェースとを備えたマイクロプロセッサで構成されている。
【００１４】
インターホン親機２は、通話相手に応じて通話路切替部２２により、内線Ｉ／Ｆ部２１またはドアホンＩ／Ｆ部２３を選択して、副親機８またはドアホン子器３と通話可能となっている。通話時には、マイク部２６が親機付近の音声を音声信号に変換し、通話路切替部２２で選択した通話相手へ音声信号を送信するとともに、通話相手からの音声信号を通話処理部２５で増幅して、スピーカ部２７から音声として出力する。
【００１５】
またインターホン親機２の前面には、図示しない解錠スイッチを含む複数のスイッチを備えた操作部３０と、液晶表示装置などを用いた表示部３１が設けられ、主制御部２９に接続されている。ドアホン子器３からは、そのカメラ部４１が撮影したドアホン子器前面の画像信号がドアホンＩ／Ｆ部２３を介して主制御部２９へ取り込まれ、主制御部２９が画像信号を表示信号に変換して表示部３１へ画像を表示できるようになっている。
【００１６】
また、ユーザが表示部３１に表示された画像やドアホン子器３を介した会話で帰宅者や来客を確認した場合、操作部３０の解錠スイッチを操作することにより、主制御部２９から電気錠Ｉ／Ｆ部２４を介して、電気錠システム４へ解錠信号が出力され電気錠７を解錠することができるようになっている。
【００１７】
さらに、インターホン親機２は、メッセージ記憶部２８と、時計３２とを備えている。時計３２は、現在の時刻情報を更新しながら保持する。主制御部２９が時刻情報を要求した際には、時計３２は、現在の時刻情報を、例えば、日付（月、日）、時刻（時、分、秒）として出力する。
【００１８】
メッセージ記憶部２８は、主制御部２９からの読出要求に応じて、記憶した複数の音声メッセージ情報の中から特定の音声メッセージ情報を通話処理部２５へ出力する。メッセージ記憶部２８は、それぞれの音声メッセージ情報を、例えば最大１０秒のＰＣＭ音声データとして記憶している。そして読出時には、ＰＣＭ音声データを復号し、さらにＤ／Ａ変換してアナログ音声信号として通話処理部２５へ出力する。また、メッセージ記憶部２８は、主制御部２９が符号化したＰＣＭ音声データを記憶可能としてもよい。尚、メッセージ記憶部２８をインターホン親機２ではなく、後述する電気錠システム４内の電気錠制御器５に備えてもよい。
【００１９】
次に、図３のブロック図を参照して、ドアホン子器３の構成を説明する。ドアホン子器３は、ドア外部の画像を撮影し撮像信号を出力するカメラ部４１と、撮像信号を処理する映像処理部４２と、図示しない呼出スイッチを備える操作部４３と、ドアホン子器３全体を制御する主制御部４４と、インターホン親機２と接続する親機接続Ｉ／Ｆ部４５と、ドア外部の音声を入力して音声信号に変換するマイク部４６と、親機からの音声信号を音声として出力するスピーカ部４７と、音声信号の調整、分離、増幅等の処理を行う通話処理部４８と、を備えている。
【００２０】
ドアホン子器３がインターホン親機２との間で通話するためのドアホン通話手段としては、マイク部４６，スピーカ部４７，通話処理部４８、及び親機接続Ｉ／Ｆ部４５が相当する。
【００２１】
帰宅者や訪問者が操作部４３の呼出スイッチを操作すると、主制御部４４は呼出信号を生成し、親機接続Ｉ／Ｆ４５を介してインターホン親機２へ呼出信号を送出する。
【００２２】
カメラ部４１は、図示しない人感センサがドア外部に人体を検出したとき、或いはインターホン親機２から撮像要求信号が送られたときに起動し、ドア外部の画像を撮像する。カメラ部４１から出力された撮像信号は、映像処理部４２で画像信号に変換調整され、親機接続Ｉ／Ｆ部４５へ出力される。
【００２３】
親機接続Ｉ／Ｆ部４５は、映像処理部４２からの画像信号、通話処理部４８からの音声信号、及び主制御部４４からの呼出信号を多重化してインターホン親機２へ送信する。また、親機接続Ｉ／Ｆ部４５は、インターホン親機２から受信した音声信号を通話処理部４８へ出力する。
【００２４】
ドアホン子器３の通話時には、マイク部４６で音声を音声信号に変換して、通話処理部４８及び親機接続Ｉ／Ｆ部４５を介してインターホン親機２へ送信するとともに、インターホン親機２からの音声信号を通話処理部２５で増幅してスピーカ部２７から音声として出力する。
【００２５】
次に、図４のブロック図を参照して、電気錠システム４を説明する。電気錠システム４は、インターホン親機２と接続される電気錠制御器５と、電気錠制御器５に接続された個別認証情報取得手段である非接触式キーリーダ６と、電気錠７とを備えている。
【００２６】
電気錠制御器５は、インターホン親機２と制御信号を送受信する接続Ｉ／Ｆ部５１と、電気錠７を施解錠する施解錠制御部５２と、電気錠システム全体を制御する主制御部５３と、非接触式キーリーダ６が取得した個別認証情報と予め登録情報記憶部５５に記憶した登録情報とを照合する個別認証情報照合部５４と、電気錠７を開閉することを許可する登録情報を予め登録した登録情報記憶部５５とを備えている。
【００２７】
尚、非接触式キーリーダ６に代えて、個別認証情報取得手段として、生体固有の情報である生体認証情報を個別認証情報として取得する生体認証情報取得手段を備えてもよい。生体認証情報取得手段としては、指紋パターンを読みとる指紋センサ、指の静脈分布パターンを検出する指静脈センサ、掌の静脈分布パターンを検出する掌静脈センサ、虹彩の色分布パターンを検出するセンサ等が使用可能である。
【００２８】
また、個別認証情報照合部５４と、登録情報記憶部５５とは、電気錠制御器５に内蔵せず、インターホン親機２に内蔵することも可能である。この場合、電気錠制御器５は、非接触式キーリーダ６が取得した個別認証情報を親機接続Ｉ／Ｆ５１を介してインターホン親機２へ送る。インターホン親機２は、取得した個別認証情報と、登録情報記憶部５５に記憶した登録情報との照合を行う。この照合結果により一致が検出された場合には、インターホン親機２は、電気錠制御器５へ電気錠７を解錠させるための解錠信号を送出する。
【００２９】
次に、電気錠４システムの動作を説明する。非接触式キーリーダ６は、図１に示したように、非接触式ＩＣカード１０ａや非接触式ＩＣタグ１０ｂから、無線通信を介して個別認証情報を読み取る。読み取られた個別認証情報は、個別認証情報照合部４５へ送られる。個別認証情報照合部４５は、非接触式キーリーダ６が読み取った個別認証情報と、登録情報記憶部５５に記憶された各々の登録情報とを照合する。そして個別認証情報と一致する登録情報が登録情報記憶部５５に記憶されていれば、照合が成功したことを示す情報と、照合した個別認証情報とを主制御部５３へ出力する。主制御部５３は、照合が成功したことを示す情報、またはインターホン親機２から送信された解錠信号に基づいて、施解錠制御部５２へ解錠指示信号を出力する。また、主制御部５３は、個別認証情報照合部５４から出力された個別認証情報を制御信号として親機接続Ｉ／Ｆ部５１を介してインターホン親機２へ送信する。
【００３０】
施解錠制御部５２は、主制御部５３から出力された解錠指示信号に基づいて、電気錠７のソレノイドや電気モータ等のアクチュエータを駆動する駆動信号を出力する。この駆動信号により、アクチュエータが作動して、例えばデッドボルトとストライクとの勘合を解除して電気錠７を解錠する。これとは逆に、主制御部５３から施錠指示信号が出力された場合、施解錠制御部５２は、アクチュエータを解錠時とは逆向きに作動させて、電気錠７を施錠する。
【００３１】
次に、図５、図６のフローチャート、及び図７の出力メッセージ例を参照して、本インターホンシステムの動作を説明する。
【００３２】
図５のフローチャートにおいて、まずステップ（以下、ステップをＳと略す）１０において、電気錠システム４の非接触キーリーダ６が非接触式ＩＣカード１０ａまたは非接触式ＩＣタグ１０ｂから、個別認証情報を取得する。次いでＳ１２で、電気錠制御器５の個別認証情報照合部５４が、取得された個別認証情報と、登録情報記憶部５５に記憶した登録情報との照合を行う。この照合の結果、個別認証情報に一致する登録情報が存在した場合、Ｓ１６へ進む。この照合の結果、個別認証情報に一致する登録情報が存在しなかった場合、Ｓ１４へ進み、電気錠７を解錠することなく施錠状態を保持して終了する。
【００３３】
Ｓ１６では、電気錠制御器５からインターホン親機２へ、Ｓ１０で取得した個別認証情報を送信する。次いでＳ１８で、インターホン親機２の主制御部２９は、電気錠制御器５から受信した個別認証情報が特定登録情報か否かを判定する。ここで、特定登録情報とは、登録情報のうち、住居が留守の場合に帰宅者に対してドアホン子器３から音声メッセージを発する対象の登録情報である。この特定登録情報は、例えば、図７に示すインターホン親機２の内部のメッセージ記憶部２８のテーブル例に登録情報（ＩＤ）として記憶されている。
【００３４】
図７の例では、子供Ａ、子供Ｂ、子供Ｃがそれぞれ所持する非接触式ＩＣカードに記録された個別認証情報に一致する登録情報が特定登録情報である。このメッセージ記憶例によれば、子供Ａの帰宅時刻が８：００〜２０：００である場合に再生するために、お母さんの声で「おかえり〜。」という音声メッセージが記憶されている。また、子供Ａの帰宅時刻が２０：００〜８：００である場合に再生するために、お父さんの声で「おかえり。」という音声メッセージが記憶されている。
【００３５】
また、子供Ｂの帰宅時刻が８：００〜２０：００である場合に再生するために、お母さんの声で「おかえり〜。」という音声メッセージが記憶されている。子供Ｂの帰宅時刻が２０：００〜８：００である場合に再生するために、お父さんの声で「おかえりなさい。」という音声メッセージが記憶されている。
【００３６】
また、子供Ｃの帰宅時刻が８：００〜２０：００である場合に再生するために、お母さんの声で「おかえりなさい。」という音声メッセージが記憶されている。子供Ｃの帰宅時刻が２０：００〜８：００である場合に再生するために、お父さんの声で「おかえりなさい。」という音声メッセージが記憶されている。
【００３７】
Ｓ１８の判定で個別認証情報が特定登録情報でなければ、Ｓ２０へ進み、ドアホン子器から音声メッセージを発することなく、電気錠７を解錠して終了する。
【００３８】
Ｓ１８の判定で個別認証情報が特定登録情報であれば、Ｓ２２へ進み、主制御部２９は、時計３２から現在時刻を取得する。次いでＳ２４で、主制御部２９は、メッセージ記憶部２８から、個別認証情報及び現在時刻に応じた音声メッセージデータを読み出して、音声信号に変換し、変換した音声信号をドアホン子器３へ出力する。
【００３９】
次いでＳ２６で、ドアホン子器３のスピーカ部４７から音声メッセージに対応した音声、例えば、お母さんの声で「おかえりなさい。」という音声が出力されるとともに、インターホン親機２から電気錠制御器５へ解錠信号が出力され、電気錠７が解錠されて処理を終了する。
【００４０】
このように、帰宅者が非接触式キーリーダ６に個別認証情報を読み取らせたときに、この個別認証情報が特定登録情報と一致した場合、あたかも在宅者がドアホン子器３を通じて帰宅者に応答したような音声がドア外部に流れる。この音声により、付近の不審者に保護者が在宅しているかのような錯覚を抱かせることができ、帰宅者の安全性を高めることができるという効果がある。
【００４１】
図７に示したようなメッセージ記憶部２８の記憶内容は、予めインターホン親機２の製造段階で予め不揮発性メモリに記憶されていてもよいし、インターホン親機２の取り付け後に、ユーザがマイク部２６から音声メッセージを吹き込んでメッセージ記憶部２８に記憶させるようにしてもよい。
【００４２】
図６は、ユーザが音声メッセージをインターホン親機２のメッセージ記憶部２８へ記憶させる場合の音声メッセージ登録モードにおける動作を説明するフローチャートである。尚、インターホン親機２には、通常モードと、以下に説明する音声メッセージ登録モードが備えられているものとする。音声メッセージ登録モードにおいては、表示部３１に音声メッセージ入力のための操作ガイドが表示される対話式入力方式が好ましい。尚、表示部３１に操作部３０の一部が一体化されたタッチパネル構造であれば、柔軟に音声メッセージ登録モードにおける制御スイッチの名称表示や操作ガイド等が行えるようになり、さらに好ましい。
【００４３】
図６において、まずＳ３０でユーザは、インターホン親機２の操作部３０を操作して、音声メッセージ登録モードを呼び出す。以後、インターホン親機２の主制御部２９は、次いでＳ３２でユーザは、操作部３０を操作して帰宅者の選択（子供Ａか子供Ｂか子供Ｃかの選択）を登録情報（ＩＤ）として入力する。次いでＳ３４でユーザは、操作部３０を操作して応答する時間帯（例えば、８：００〜２０：００）を入力する。次いで、Ｓ３６でユーザはマイク部２６から音声メッセージを吹き込む。このとき入力された音声は、マイク部２６により音声信号に変換される。Ｓ３６の音声メッセージ入力と並行してＳ３８において、マイク部２６からの音声信号は通話処理部２５を介して主制御部２９に取り込まれ、主制御部２９は、逐次的に一定時間毎に音声信号をサンプリングし、Ａ／Ｄ変換及びＰＣＭコード化を行う。こうしてＰＣＭコード化された音声メッセージ情報は、Ｓ４０で主制御部２９のに制御により、メッセージ記憶部２８に記憶される。
【００４４】
次いでＳ４２で、ユーザは音声メッセージ登録が終了したか継続するかのを選択を操作部３０を操作して入力する。終了でなく継続であれば、主制御部２９は、制御をＳ３２へ戻す。終了であれば、主制御部２９は、音声メッセージ登録モードを解除して、通常モードへ戻る。以上の操作により、ユーザ自身の声による音声メッセージをメッセージ記憶部２８へ記憶させることができる。メッセージ記憶部２８にユーザ自身の音声メッセージを記憶させることにより、帰宅者の家族の事情について知識がある不審者に対してもリアルな保護者の臨在感を与えることができるという効果がある。
【００４５】
なお、以上説明した実施の形態は、本発明の一実施例である。このため、本発明は、上記の実施形態に限定されることはなく、この実施の形態以外であっても、本発明に係る技術的思想を逸脱しない範囲であれば、設計等に応じて種々の変更が可能であることは勿論である。
【図面の簡単な説明】
【００４６】
【図１】本発明に係るインターホンシステムの全体構成例を示すシステム構成図である。
【図２】インターホン親機の構成例を示すブロック図である。
【図３】ドアホン子器の構成例を示すブロック図である。
【図４】電気錠システムの構成例を示すブロック図である。
【図５】ユーザ帰宅時のインターホンシステムの動作を説明するフローチャートである。
【図６】音声メッセージ登録モードにおける動作を説明するフローチャートである。
【図７】音声メッセージの例を説明する図である。
【符号の説明】
【００４７】
１  インターホンシステム
２  インターホン親機
３  ドアホン子器
４  電気錠システム
５  電気錠制御器
６  非接触式キーリーダ（個別認証情報取得手段）
７  電気錠
２８  メッセージ記憶部
５４  個別認証情報照合部
５５  登録情報記憶部
【図１】
2009290353.tif 000003
【図２】
2009290353.tif 000004
【図３】
2009290353.tif 000005
【図４】
2009290353.tif 000006
【図５】
2009290353.tif 000007
【図６】
2009290353.tif 000008
【図７】
2009290353.tif 000009